(57)【要約】本発明はボトルの運搬手段（１００）に関わる。本発明の第一特徴によれば、胴体部分、首部及びテーパ状部分を持つボトル（３００）の運搬手段（１００）が提供される。運搬手段は、ボトルの胴体を受領するための第一ボトル保持ループ（１１５）と、第一ボトル保持ループに結合した運搬ハンドル（１２５）と、ボトルの首部を受領するための第二ボトル保持ループ（１３０）と、第一ループと第二ループを繋ぐ胴体部分（１１０）とを含み構成されている。第一保持ループ（１１５）がボトルの胴体を保持し、第二保持ループ（１３０）がボトルの首部を保持する。運搬ハンドル（１２５）で運搬手段を持ち上げると、第二ループ（１３０）がボトル（３００）をテーパ状部分で実質的に保持する。
2004512241.tif 000002
【特許請求の範囲】
【請求項１】
胴体部分、首部及びそれらの間のテーパ状部分を備えたボトルの運搬手段であって、
ボトルの胴体を受領する第一ボトル保持ループと、
該第一ボトル保持ループに結合した運搬ハンドルと、
ボトルの首部を受領する第二ボトル保持ループと、
前記第一ループと該第二ループを結合する胴体部分と、
を含んで構成されており、前記ボトルの胴体は前記第一ループによって保持され、該ボトルの首部は前記第二ループによって保持され、本運搬手段が前記ハンドルによって吊り上げられると、前記ボトルは前記第二ループによってボトルのテーパ状部分で実質的に保持されることを特徴とする運搬手段。
【請求項２】
該運搬手段は一体構造であることを特徴とする請求項１記載の運搬手段。
【請求項３】
該運搬手段は紙、プラスティック、布または非木材紙の何れかを素材とする請求項１または２に記載の運搬手段。
【請求項４】
該運搬手段は少なくとも一面の少なくとも一部分に装飾的デザイン、広告、ロゴ、絵または写真の何れかが施されていることを特徴としする請求項１から３の何れかに記載の運搬手段。
【請求項５】
該運搬手段は少なくとも胴体の一面に広告が印刷されていることを特徴とする請求項１から４の何れかに記載の運搬手段。
【請求項６】
添付図面を参照に本明細書にて詳述されたボトル運搬手段。
【発明の詳細な説明】
【０００１】
【発明の属する技術分野】
本発明はボトルの運搬手段、特に販売の時点からの便利でシンプルなボトルの運搬手段に関する。
【０００２】
【従来の技術及び発明が解決しようとする課題】
店舗や小売店などでの品物購入の際に店員やレジ係が顧客に品物を持ち運ぶための袋などの包装手段を提供するのが一般的である。
【０００３】
例えば、酒屋でボトルのワイン、酒、ビールなどを購入すると、通常はレジで茶色い紙袋に入れられる。普通は茶色の紙袋には取っ手がなく、中身の保護あるいは持ち運びに関しては、ボトルを裸で運ぶことに比べて特に有利ではない。その上紙袋に施される広告の効果も限定的である。
【０００４】
紙袋はボトルの首部を握って持ち運ばれるため、首部の周りで捻ってあるのが普通である。それゆえ、運搬時には紙袋に施された広告文や意匠にはしわが寄ったり、覆い隠される。
【０００５】
今日における環境保護の風潮の中では、提供される包装や運搬手段の使用素材が少ないことが望まれている。
【０００６】
それゆえ、上記のような従来の方法の持つ問題点の少なくとも一つに対処する、販売時点でのボトルの包装手段を提供することが望まれている。
【０００７】
【課題を解決するための手段】
本発明の第一特徴によれば、胴体、首部及び両者間のテーパ状部分を持つボトルの運搬手段が提供される。この運搬手段は、
ボトルの胴体を受領するための第一ボトル保持ループと、
第一ボトル保持ループに結合した運搬ハンドルと、
ボトルの首部を受領するための第二ボトル保持ループと、
第一と第二ループを繋ぐ胴体部分とを含む。
【０００８】
第一ループがボトルの胴体を保持し、第二ループがボトルの首部を保持する。運搬ハンドルで運搬手段を持ち上げると、第二ループがボトルをテーパ状部分で実質的に保持する。
【０００９】
好適には、運搬手段は一体構造である。
【００１０】
好適には、運搬手段は紙、プラスティック、布或いは非木材紙を素材としている。
【００１１】
好適には、運搬手段の少なくとも一面の少なくとも一部に、装飾的なデザイン、広告、ロゴ、絵或いは写真が施されている。好適には、胴体部分の少なくとも一面に広告が印刷されている。
【００１２】
【発明の実施の形態】
ここでは特にボトルの運搬手段に関する本発明の一連の実施例について詳細に説明する。図１Ａは本発明の運搬手段の第一実施例の前面図である。運搬手段１００は開口部１２０を備えた長形胴体部分１１０を含む。胴体部分１１０は開口部１２０周囲を延びて、第一ループ１１５を提供する。運搬手段１００は第一ループ１１５に取り付けた運搬ハンドル１２５も含む。長形胴体部分１１０の運搬ハンドル１２５と反対側の端には第二ループ１３０が提供されている。
【００１３】
次に、図１Ａに示された運搬手段１００の後面図である図１Ｂの説明に移る。運搬手段１００の後面も同様に開口部１２０を備えた長形胴体部分１１０を含む。運搬ハンドル１２５は長形胴体１１０の後面１１１のループ部分１１５に取り付けられる。ハンドル１２５の接着には糊や両面テープなどを使用することができる。ハンドル１２５には運搬手段１００の後面１１１に取り付けられる環状の補強パッチが提供される。同様に、第二ループ１３０も胴体部分１１０後面１１１に糊付けされ、第二補強パッチ１５０によって固定される。両補強パッチ１４０，１５０は、運搬ハンドル１２５と第二保持ループ１３０の固定に加え、運搬手段１００に追加的強度を付与する。
【００１４】
運搬手段には布、プラスティック、紙、又は非木材紙などの適度にしなやかだが丈夫な素材を用いるのが良い。図１Ａと図１Ｂの実施例では、胴体部分１１０にデュポン社のＴｙｖｅｋの如き合成紙素材を用い、運搬ハンドル１２５と保持ループ１３０には茶色の紙袋の取っ手に広く使われている補強紙リボンを用いることが可能である。或いは、運搬ハンドルと第二保持ループを３Ｍのスコッチパッド運搬ハンドルのごときプラスティック製運搬ハンドルにすることも可能である。
【００１５】
この実施例では、運搬ハンドル１２５及び保持ループ１３０を胴体部分１１０に糊付けしている。補強パッチ１４０、１５０は製本テープのごとき自己接着性の布裏地テープ製である。或いは、補強パッチ１５０に運搬手段の胴体部分１１０と同様の素材を使用し、適当な接着剤を使用して取り付けることも可能である。
【００１６】
利用の際、まず運搬手段１００の開口部１２０からボトルの胴体が突き出るように第一保持ループ１１５をボトルの周りに配置する。
【００１７】
一般的には、運搬手段１００のループ部分１１５がボトルの太い方に来るようにするためには、ボトル全体を細い方から太い方へループ部分に通す必要はない。開口部１２０はボトルを容易に差し込め、さらにボトルが開口部内で動き回らないサイズであることが理想的である。第一ループ１１５の主要目的は運搬手段内のボトルの重量を支えることではなく、運搬手段１００からボトルが落ちたり外れたりしないように、ボトルを実質的に真下に向けて垂直状態に保持することである。
【００１８】
第二ループ１３０にボトルの首部を通過させる。第二ループ１３０をボトルのテーパ状部分でフィットする位置に来るまでボトルに沿って動かす。
【００１９】
第二保持ループ１３０がボトル胴体に沿ってそれ以上動かない位置にまで来た時、ハンドル１２５を使って運搬手段を持ち上げることが出来る。ハンドルによって運搬手段を持ち上げると、第二保持ループ１３０が運搬手段内のボトルの重量をボトルのテーパ状部分で実質的に保持する。運搬手段１００の胴体部分１１０が第二保持ループ１３０と運搬ハンドルを結ぶ吊り具の役割を果たす一方、第一保持ループ１１５はボトルを垂直に保持する。
【００２０】
運搬手段を用いてボトルを持ち上げる際、第二保持ループ１３０がボトルに沿って滑り動く可能性がある。これを防ぐために、胴体部分１１０を第二保持ループがボトルの底部から外れない長さにしなければならない。好適には、第一保持ループ１１５がボトルの重量を支えることなく、第二保持ループ１３０のみで支える。これを確実にするために、開口部１２０を第一保持ループ１１５が運搬するボトルの胴体周囲にゆるくフィットするようなサイズにする。
【００２１】
図２Ａから図２Ｄは、本発明の運搬手段１００をボトル２００に対して用いる実施例を示す。ボトル２００は胴体部分２１０、比較的細い首部２２０、両者間のテーパ状部分２１５及び底部２０５を含む。図２Ａから図２Ｄは、第一保持ループ１１５が底部２０５に隣接する付近でボトル２００の胴体部分２１０の周囲に位置し、第二保持ループ１３０がテーパ状部分２１５に位置するように運搬手段１００をボトルに対応させている様子を示している。運搬手段１００の長形胴体部分１１０は、ボトル２００胴体２１０の全長に沿ってぴんと張っている。
【００２２】
運搬手段１００をボトルに対応させる方法は他にも数多くある。通常ではボトルがテーブルやベンチなどを下支えに底部２０５で直立した状態で運搬手段を対応させる。この姿勢では、第一ループ１１５をボトル２００の首部２２０に通してからボトルのテーパ状部分２１５の付近までスライドさせて運搬手段をボトルに取り付けることができる。次に第二保持ループ１３０をボトル２００の首部２２０に通し、第一保持ループ１１５に隣接した部分までスライドさせることができる。この位置から第一保持ループ１１５をボトル２００の胴体２１０に沿って運搬手段１００の胴体部分１１０までスライドすることができ、そこで第一ループ１１５はボトル２００の側面に沿ってぴんと張る。第二保持ループ１３０をボトルのテーパ状部分２１５に対してぴんと張るまで首部に沿って引っ張る。その状態でボトルを逆さにし、運搬ハンドル２１５によって運搬することができる。ボトル２００の底部２０５をまず第一保持ループ１１５に通し、次に第二保持ループ１３０がボトル２００の首部２２０の先端部より上に来るまで第一保持ループをボトル２００の胴体２１０沿いにテーパ状部分２１５の方へ引っ張り上げる方法もある。別方法は数多く存在する。第二保持ループ１３０がテーパ状部分２１５付近でぴんと張るまで運搬手段１００をボトル２００の底部２０５の方へスライドさせれば、ボトルの重量は運搬ハンドル１２５で支えられる。
【００２３】
図３は運搬手段をボトル３００に対して使用した実施例を示している。ボトル３００の重量は第一保持ループ１１５のサイド部分１１５Ａ、運搬手段１００の胴体部分１１０、さらに第二保持ループ１３０を介して、ユーザーの手により運搬ハンドル１２５で支えられている。
【００２４】
図４は本発明の運搬手段の１好適実施例を示している。運搬手段４００には一枚の紙、布、プラスティック或いは非木材紙などの適当な素材を用いる。運搬手段４００は、それぞれの開口部４２０，４４０，４３０によって提供される第一保持ループ４１５、運搬ハンドル４２５及び第二保持ループ４３５を備えた長形胴体４１０を含む。第一開口部４２０と第三開口部４４０は長形胴体４１０の上端で隣り合って配置され、両者間のスペースは小さい。２つの開口部４２０、４４０間の胴体部分の一部は第一保持ループ４１５を提供する。第三開口部４４０と運搬手段外周４０１の間の胴体部分の一部は運搬ハンドル４２５を提供する。同様に、第二保持ループ４３５は運搬手段４００の外周４０１と第二開口部４３０間の胴体部分の一部によって提供される。
【００２５】
運搬手段４００を使用する際、図１から図３に関連して説明した実施例と同様の方法を用いることができる。
【００２６】
図４の運搬手段の実施例は、一枚の適当な素材によって作られているため特に有利である。図１から図３の示す実施例で説明したように、運搬手段は布、紙、合成紙、又はプラスティックで作ることが可能である。しかしながら、本実施例では補強パッチがなく一枚の素材を使用しているため、包装の素材が実質的に破れたり伸びたりすることなく適切にボトルの重量を支えられる強度を持つことが必要である。
【００２７】
図５Ａから図５Ｃの示す実施例では複数のボトルを運搬することができる。これらの実施例では通常、２本のボトルを運搬できるよう、図１から図４に関連して述べた包装手段を２個結合させている。３実施例は、ボトル１本用の包装手段を異なる位置で２個結合した場合の構成を示している。
【００２８】
まず図５Ａは、３つの開口部５２１，５４０、５５０を持つ長形胴体部５１０を含む運搬手段５００を示している。運搬手段５００はＡ−Ａ線を軸に左右対称であり、各半体の目的は１本のボトルの運搬である。図１から図４に関して述べたように、開口部は両保持ループ５５５，５３１とハンドル５２０を提供する。利用の際は、運搬手段５００を中央のＡ−Ａ線に沿って半分に折り、ハンドルを用い２つの同型体を連結する。本実施例では、運搬するボトルの重量が図１から図４に示す実施例に比べて大きくなるため、図１Ａ及び図１Ｂに関連して説明した補強パッチでハンドル部分５２０を補強することが必要になる。別の方法として、素材を重ねたりラミネート加工することによって運搬手段５００全体に強度を提供してもよい。
【００２９】
図５Ｂは、運搬手段５９９が複数のボトルを運搬する別の実施例を示している。この実施例では、運搬手段５９９はＡ−Ａ線を軸に左右対称であり、各第二保持ループ５５５によって結合された２個の１本用の包装を提供する。図５Ａに関して説明したように、運搬手段５９９の各半体は両保持ループ５３０，５５０と運搬ハンドルを提供する三つの開口部を含む。
【００３０】
図５Ｃは運搬手段が２本のボトルを運搬する別の実施例を示している。運搬手段５９８はＡ−Ａ線を軸に左右対称である楕円形胴体５１０を含む。この実施例は本質的に、それぞれの第一保持ループ５３１により結合された２個の１本用運搬手段である。胴体部分５１０の各半体は、両保持ループ５３１，５５５を提供する２つの開口部５３０，５５０を備えている。運搬手段５９８はＡ−Ａ線に沿って運搬手段５９８の胴体部分５１０に取り付けたハンドル６００も含む。図１Ａから図１Ｂの実施例に関して説明したように、ハンドル６００の素材は補強紙やポリマーのごとき適当な素材がよい。ハンドル６００は運搬手段５９８のＡ−Ａ線に沿って提供され、それによって利用の際に包装体が自然に折れ曲がる線が提供される。
【００３１】
好適実施例では、本発明の運搬手段表面には運搬されるボトルの販売元小売店、その製品のサプライヤー、又は第三者などを宣伝する装飾デザインや広告が施されている。製造過程におけるカッティング前又は完成後に運搬手段の素材表面にデザインや広告を印刷することによって、広告文や意匠を運搬手段に施すことができる。
【００３２】
ここに開示され、定義されている本発明は、本明細書中の文章や図面によって言及、又は明確化されている個別の特性の別の組み合わせにまで範囲が及ぶ。本発明の範囲には、このような全ての可能な別の組み合わせが含まれている。
【図面の簡単な説明】
以下において本発明の好適な形態を、図面を用いて例示する。
【図１Ａ】図１Ａは本発明の運搬手段の第一実施例を示す前面図である。
【図１Ｂ】図１Ｂは図１Ａに示された実施例の後面図である。
【図２Ａ】図２Ａは本発明の運搬手段がボトルを保持した状態の実施例の前面図である。
【図２Ｂ】図２Ｂは本発明の運搬手段がボトルを保持した状態の実施例の横面図である。
【図２Ｃ】図２Ｃは本発明の運搬手段がボトルを保持した状態の実施例の後面斜視図である。
【図２Ｄ】図２Ｄは本発明の運搬手段がボトルを保持した状態の実施例の前面斜視図である。
【図３】図３は本発明の運搬手段がボトルを運搬する際の実施例の斜視図である。
【図４】図４は本発明の運搬手段の別実施例を示す。
【図５Ａ】図５Ａは本発明の運搬手段が２本のボトルを運搬する一実施例を示す。
【図５Ｂ】図５Ｂは本発明の運搬手段が２本のボトルを運搬する一実施例を示す。
【図５Ｃ】図５Ｃは本発明の運搬手段が２本のボトルを運搬する一実施例を示す。
【国際公開パンフレット】
2004512241.tif 000003
2004512241.tif 000004
2004512241.tif 000005
2004512241.tif 000006
2004512241.tif 000007
2004512241.tif 000008
2004512241.tif 000009
2004512241.tif 000010
2004512241.tif 000011
2004512241.tif 000012
2004512241.tif 000013
2004512241.tif 000014
2004512241.tif 000015
2004512241.tif 000016
2004512241.tif 000017
【国際調査報告】
2004512241.tif 000018
2004512241.tif 000019
2004512241.tif 000020